(57)【要約】【課題】異径ケーブルを簡単に一括結線することができるケーブル接続用コネクタを提供する。【解決手段】絶縁ハウジング１１内に列状に配設された複数本の各コンタクト１２、１３の接続端子１２ｃ、１３ｃを断面階段形状に形成するようにした。【選択図】　図３
2004055213.tif 000002
【特許請求の範囲】
【請求項１】
絶縁ハウジング内に列状に配設された複数本の各コンタクトに、対応する複数本の各ケーブルの導体を電気的に接続するようにしたケーブル接続用コネクタにおいて、
前記コンタクトの接続端子を断面階段形状に形成するようにしたことを特徴とするケーブル接続用コネクタ。
【請求項２】
前記複数本の各ケーブルはそれぞれ異径のケーブルからなることを特徴とする請求項１に記載のケーブル接続用コネクタ。
【請求項３】
前記断面階段形状は上段と下段の二段形状であることを特徴とする請求項１に記載のケーブル接続用コネクタ。
【請求項４】
前記断面階段形状は二段以上の階段形状であることを特徴とする請求項１に記載のケーブル接続用コネクタ。
【発明の詳細な説明】
【０００１】
【発明の属する技術分野】
この発明は電気コネクタに関し、特に機器間等に配設された多数本のケーブルを互いに接続するケーブル接続用コネクタの改良に関する。
【０００２】
【従来の技術】
コンピュータ等の電子機器間を電気的に接続する多数本のケーブルをその途中で互いに連結するようにしたケーブル接続用コネクタでは、その多数本のケーブルをケーブル接続用コネクタに接続する際に、従来では当該ケーブル接続用コネクタの絶縁ハウジング内に配設された多数本の各コンタクトに、対応する各ケーブルの導体を半田付け等の接続手段を介し個々のケーブル毎に接続するようにしていた。
【０００３】
【発明が解決しようとする課題】
しかし、このように個々のケーブルをそれぞれ対応する各コンタクトに接続する作業は、結線工程数の増加及び設備の多種化によるコストアップに繋がるので好ましくなく、また、接続対象の多数本のケーブルにあつては、図４の斜視図で示すように、それぞれケーブル径の異なる各異径ケーブル１、２を接続するものもあり、その場合は径の異なる各異径ケーブル１、２に専用のコンタクトをハウジング内に配設しなければならない難点がある。
【０００４】
そこで、上述した難点を解決すべく、従来では特開平９−２０６９３０号に開示されているように、コンスタント式ヒータ装置を用いて各ケーブルを一括結線するようにしたものがある。
【０００５】
これを、径の異なる複数本のケーブルを接続する場合について適用すると、従来のケーブル接続用コネクタ３の要部断面図で示す図５のようになる。
【０００６】
この場合は、絶縁ハウジング４の長手方向に沿って列状に配設された同一形状のコンタクト５の各接続端子５ａ上に、各異径ケーブル１、２の各導体１ａ、２ａをそれぞれ配置し、その後、各異径導体１ａ、２ａ上に接触すべく対応した切り欠６ａを有する専用のヒータヘッド６を当て当該各導体１ａ、２ａを一括してコンタクト５の各接続端子５ａに半田付け接続を行うことが可能となる。
【０００７】
しかしながら、このような、コンスタント式ヒータ装置を適用し、これにより同一形状のコンタクト５に各異径ケーブル１、２を一括接続処理をするものであっても、同一コンタクト５の接続端子５ａ上における異径の各導体１ａ、２ａの配置態様に沿った形状の専用ヒータヘッド６を製作したり、各異径ケーブル１、２（図３）を専用のヒータヘッド６の形状に沿って整線しなければならないから結線作業が煩雑となる難点がある。
【０００８】
この発明は上述した事情に鑑み、異径ケーブルを簡単に一括結線することができるケーブル接続用コネクタを提供することを目的とする。
【０００９】
【課題を解決するための手段】
上述した課題を解決するため、この発明では、絶縁ハウジング内に列状に配設された複数本の各コンタクトに、対応する複数本の各ケーブルの導体を電気的に接続するようにしたケーブル接続用コネクタにおいて、前記コンタクトの接続端子を断面階段状に形成するようにしている。
【００１０】
【発明の実施の形態】
以下、この発明に係わるケーブル接続用コネクタの一実施例を詳述する。
【００１１】
図１はこの発明に係わるケーブル接続用コネクタ１０の一部破断概念斜視図で、図４と同一部分を同一符号で示している。
【００１２】
このケーブル接続用コネクタ１０の絶縁ハウジング１１には、その上下面の長手方向に沿ってそれぞれ同一形状の複数本のコンタクト１２、１３が所定のピッチで列状に配設されている。
【００１３】
そして、その各コンタクト１２、１３の先端部分１２ａ、１３ａは絶縁ハウジング１１の上下面に露出し、これにより全体としては図示せぬ雌コネクタに嵌着してケーブル間を電気的に接続する雄コネクタとしての機能を有している。なお、図１で符号１１ａは各コンタクト１２、１３間を隔離する隔壁である。
【００１４】
一方、上述した各コンタクト１２、１３の後端部分１２ｂ、１３ｂは接続端子１２ｃ、１３ｃとして使用され、その形状はコンタクト１２を代表として図２の斜視図で示すと、このコンタクト１２の接続端子１２ｃは、上段１２ｄと下段１２ｅとからなる断面階段状に形成されている。
【００１５】
一方、このような断面階段状の接続端子１２ｃ、１３ｃを形成した各コンタクト１２、１３に、それぞれケーブル径の異なるケーブル１、２を配置する場合は、絶縁ハウジング１１の要部破断面図で示す図３のように、上段１２ｄにケーブル径の小さいケーブル１の導体１ａを配設し、また下段１２ｅにケーブル径の大きいケーブル２の導体２ａを配置する。
【００１６】
このように上段１２ｄに小径の導体１ａを配設し、また下段１２ｅに太径の導体２ａを配置すると、太径の導体２ａと細径の導体１ａの各上面位置を同一平面Ｌ上に配置することができ、このため、これらの各太径の導体２ａと細径の導体１ａとを、接触面２０ａが平行な通常のコンスタント式ヒータ装置のヒータヘッド２０を用いて各接続端子１２ｃ、１３ｃと対応する複数本の異径ケーブル１、２とを一括結線することができる。
【００１７】
なお、上記実施例では、二種類の異径ケーブル１、２に対応すべくコンタクト１２の接続端子１２ｃの断面形状を上段１２ｄと下段１２ｅの二段構成としたが、この発明は上記実施例に限定されることなく、二種類以上の異径ケーブルにも適用することができ、その場合はコンタクトの接続端子の断面形状を、二種類以上の異径ケーブルの径の差異に応じて二段以上の多段構成にしても良く、この場合も異なる各径の導体の各上面位置を各コンタクトの接続端子上で同一平面に配置し、これらの各径の異なる導体を接触面が平行な通常のコンスタント式ヒータ装置のヒータヘッドを用いて一括結線することができる。
【００１８】
【発明の効果】
以上説明したように、この発明のケーブル接続用コネクタでは、絶縁ハウジング内に列状に配設された複数本の各コンタクトの接続端子を断面階段形状に形成するようにしたから、それぞれ径の異なる各異径ケーブルの各ケーブル導体を断面階段形状の接続端子の対応する各段に配置することにより、径の異なるケーブル導体の各上面を同一平面上に配置して、これらの各径の異なる導体を接触面が平行な通常のコンスタント式ヒータ装置のヒータヘッドを用いて簡単に一括結線することができ、このため部品点数、及び結線処理工程の削減を図って低コストのケーブル接続用コネクタを提供することができる。
【図面の簡単な説明】
【図１】図１はこの発明に係わるケーブル接続用コネクタの要部破断概念斜視図。
【図２】図２はこの発明に係わるコンタクトの概念斜視図。
【図３】図３は発明に係わるケーブル接続用コネクタの要部破断面図。
【図４】図４は異径ケーブルの概念斜視図。
【図５】図５は従来のケーブル接続用コネクタの要部破断面図。
【符号の説明】
１、２…異径ケーブル
１ａ、２ａ…ケーブル導体
１０…ケーブル接続用コネクタ
１１…絶縁ハウジング
１２、１３…コンタクト
１２ｃ、１３ｃ…接続端子
１２ｄ…上段
１２ｅ…下段
【図１】
2004055213.tif 000003
【図２】
2004055213.tif 000004
【図３】
2004055213.tif 000005
【図４】
2004055213.tif 000006
【図５】
2004055213.tif 000007
【手続補正書】
【提出日】平成14年7月24日(2002.7.24)
【手続補正１】
【補正対象書類名】図面
【補正対象項目名】全図
【補正方法】変更
【補正の内容】
【図１】
2004055213.tif 000008
【図２】
2004055213.tif 000009
【図３】
2004055213.tif 000010
【図４】
2004055213.tif 000011
【図５】
2004055213.tif 000012